(57)【要約】【課題】美観を生じさせることが可能な照明装置を提供する。【解決手段】シーリングライト１００は、複数のＬＥＤと、光源基板全体２ａと、カバー３とを備える。平面形状を有する光源基板全体２ａには複数のＬＥＤが配置される。複数のＬＥＤの各々は光源基板全体２ａに略垂直な方向に光を出射する。カバー３は回転対称の形状を有し、複数のＬＥＤを覆って、複数のＬＥＤから発せられた光を拡散させる。複数のＬＥＤはＬＥＤ群６ｃを含む。シーリングライト１００は、ＬＥＤ群６ｃに属するＬＥＤから発せられた光のカバー３における色分布および輝度分布のうちの少なくとも一方が不均一である照明モードを有する。この照明モードでは、カバー３の回転軸ｒを含んで放射状に延在する２つの仮想的な分割平面Ｐ１，Ｐ２によってカバー３を互いに合同な４つの領域に分割した場合に、当該分割された各領域に含まれるＬＥＤの発光量が互いに等しい。【選択図】図４
2014170712.tif 000002
【特許請求の範囲】
【請求項１】
平面形状を有する基板と、
各々が前記基板上に配置され、前記基板に略垂直な方向に光を出射する複数の光源と、
前記複数の光源を点灯させる制御回路と、
回転対称の形状を有し、前記複数の光源を覆って、前記複数の光源から発せられた光を拡散させるカバーとを備え、
前記複数の光源は、第１の光源グループを含み、
前記制御回路の制御により、前記第１の光源グループに属する光源から発せられた光の前記カバーにおける色分布および輝度分布のうちの少なくとも一方が不均一であるとともに、前記カバーの回転軸を含んで放射状に延在する複数の仮想的な分割平面によって前記カバーを互いに合同な複数の領域に分割した場合に、当該分割された各領域に含まれる光源の発光量が互いに等しい第１の照明モードを有する、照明装置。
【請求項２】
前記複数の光源は、第２の光源グループをさらに含み、
前記制御回路の制御により、前記第２の光源グループに属する光源によって白色光で照明するとともに、前記分割された各領域に含まれる、前記第２の光源グループに属する光源の発光量が互いに等しい第２の照明モードをさらに有する、請求項１に記載の照明装置。
【請求項３】
前記第２の照明モードでは、前記第２の光源グループは、前記カバーにおける色分布および輝度分布が均一となるように光を発する、請求項２に記載の照明装置。
【請求項４】
前記複数の光源のうち前記第２の光源グループに属する光源は、前記基板上に均等に配置される、請求項２に記載の照明装置。
【請求項５】
所望の照明モードを選択するための使用者による操作を受け付ける操作部をさらに備え、
前記操作部は、前記使用者によって選択された照明モードを選択するよう前記制御回路に指示する信号を、前記制御回路に出力する、請求項２に記載の照明装置。
【発明の詳細な説明】
【技術分野】
【０００１】
本発明は照明装置に関する。
【背景技術】
【０００２】
従来から、カバーに模様が描かれた照明装置が知られている。このような照明装置では、点灯状態および消灯状態に応じてカバーの外観を変化させることで、照明装置の装飾性を高めている。
【０００３】
たとえば特開２００４−２３４９１１号公報（特許文献１）に開示された照明装置のカバーには、光源の点灯時もしくは周囲が明るいときに見える第１の模様を表す第１の装飾部と、光源が消灯し、かつ暗いときに見える第２の模様を表す第２の装飾部とが設けられている。第１の模様と第２の模様とは異なる。また、カバーの外側から見て第２の装飾部は第１の装飾部に覆われている。光源の点灯時および周囲が明るいときと、光源が消灯し、かつ周囲が暗いときとでカバーに現れる模様が異なる。そのため、周囲の明るさと光源の点灯・消灯とによって外観が変化することにより装飾性が向上する。さらに、光源の点灯時または周囲が明るいときには、第１の装飾部によって第２の装飾部が隠される。したがって、第２の模様が現れたときに引き起こされる驚きが増す。
【０００４】
また、特開平８−２０３３１４号公報（特許文献２）に開示された照明装置では、透明のカバーの外表面に凹凸模様が設けられている。そのカバーの内側には、ランプからの光をカバーの凹凸模様側に反射し、表面に異なる凹凸模様が形成された高反射率の反射板が設けられている。消灯状態では、カバーの外表面に設けられた凹凸模様と、反射板の表面に形成された凹凸模様とが、透明のカバーを通して重なり合って見える。一方、点灯状態では、ランプからの光が反射板で反射されて、カバーの外表面に設けられた凹凸模様のみが見える。
【先行技術文献】
【特許文献】
【０００５】
【特許文献１】特開２００４−２３４９１１号公報
【特許文献２】特開平８−２０３３１４号公報
【発明の概要】
【発明が解決しようとする課題】
【０００６】
特許文献１，２に開示された照明装置では、カバーに模様が直接設けられている。そのため、周囲が明るいときには、消灯状態においてもカバーの模様が使用者に見える。したがって、消灯状態から点灯状態に切り替わる際にカバーに模様が現れても、変化の度合いが小さい。よって、使用者に与える驚きが小さくなってしまう。
【０００７】
本発明の目的は、美観を生じさせることが可能な照明装置を提供することである。
【課題を解決するための手段】
【０００８】
本発明のある局面に従えば、照明装置は、基板と、複数の光源と、制御回路と、カバーとを備える。基板は平面形状を有する。複数の光源の各々は、基板上に配置され、基板に略垂直な方向に光を出射する。制御回路は、複数の光源を点灯させる。カバーは、回転対称の形状を有し、複数の光源を覆い、複数の光源から発せられた光を拡散させる。複数の光源は、第１の光源グループを含む。照明装置は、第１の照明モードを有する。第１の照明モードでは、制御回路の制御により、第１の光源グループに属する光源から発せられた光のカバーにおける色分布および輝度分布のうちの少なくとも一方が不均一であるとともに、カバーの回転軸を含んで放射状に延在する複数の仮想的な分割平面によって基板を互いに合同な複数の領域に分割した場合に、当該分割された各領域に含まれる光源の発光量が互いに等しい。
【０００９】
好ましくは、複数の光源は、第２の光源グループをさらに含む。照明装置は、第２の照明モードをさらに有する。第２の照明モードでは、制御回路の制御により、第２の光源グループに属する光源によって白色光で照明するとともに、分割平面によってカバーを互いに合同な領域に分割した場合に、当該分割された各領域に対応する基板に配置された光源の発光量が互いに等しい。
【００１０】
好ましくは、第２の照明モードでは、第２の光源グループは、カバーにおける色分布および輝度分布が均一となるように光を発する。
【００１１】
好ましくは、複数の光源のうち第２の光源グループに属する光源は、基板上に均等に配置される。
【００１２】
好ましくは、所望の照明モードを選択するための使用者による操作を受け付ける操作部をさらに備える。操作部は、使用者によって選択された照明モードを選択するよう制御回路に指示する信号を、制御回路に出力する。
【発明の効果】
【００１３】
本発明によれば、美観を生じさせることが可能な照明装置を実現することができる。
【図面の簡単な説明】
【００１４】
【図１】本発明の実施の形態１に係る照明装置の外観を模式的に示す外観斜視図および平面図である。
【図２】図１に示した照明装置の回路構成の概略を示す機能ブロック図である。
【図３】図２に示した小基板の回路構成の概略を説明するための回路図である。
【図４】図１に示したフレーム内における小基板の配置を説明するための平面図である。
【図５】図４に示した小基板における光源の配置を説明するための平面図である。
【図６】図４に示した小基板の配置において、第１の照明モードにおける点灯中の光源の位置およびカバーの外観の様子を模式的に示す平面図である。
【図７】図４に示した小基板の配置において、第２の照明モードにおける点灯中の光源の位置およびカバーに生じる模様を模式的に示す平面図である。
【図８】図４に示した小基板の配置において、第３の照明モードにおける点灯中の光源の位置およびカバーに生じる模様を模式的に示す平面図である。
【図９】図４に示した小基板の配置において、すべての光源が点灯中の光源の位置およびカバーに生じる模様を模式的に示す平面図である。
【図１０】本発明の実施の形態２に係る照明装置における、図２とは異なる小基板を示す平面図である。
【図１１】本発明の実施の形態３に係る照明装置において、小基板上の光源の配置を説明するための平面図である。
【図１２】図１１に示した小基板のフレーム内における配置を説明するための平面図である。
【図１３】本発明の実施の形態４に係る照明装置において、小基板上の光源の配置を説明するための平面図である。
【図１４】図１３に示した小基板のフレーム内における配置を説明するための平面図である。
【図１５】図１４に示した小基板の配置において、第１の照明モードにおける点灯中のカバーの外観の様子を模式的に示す平面図である。
【図１６】図１４に示した小基板の配置において、第２の照明モードにおける点灯中の光源の位置およびカバーに生じる模様を模式的に示す平面図である。
【図１７】本発明の実施の形態５に係る照明装置の外観を模式的に示す外観斜視図および平面図である。
【図１８】図１７に示した照明装置における小基板を示す平面図である。
【図１９】図１８に示した小基板のフレーム内における配置を示す平面図である。
【図２０】図１９に示した小基板の配置において、第１の照明モードにおける点灯中の光源の位置およびカバーの外観の様子を模式的に示す平面図である。
【図２１】図１９に示した小基板の配置において、第２の照明モードにおける点灯中の光源の位置およびカバーに生じる模様を模式的に示す平面図である。
【図２２】図１９に示した小基板の配置において、すべての光源が点灯中の光源の位置およびカバーに生じる模様を模式的に示す平面図である。
【発明を実施するための形態】
【００１５】
以下、本発明の実施の形態について、図面を参照しながら詳細に説明する。なお、図中同一または相当部分には同一符号を付して、その説明は繰り返さない。
【００１６】
以下に説明する実施の形態において、本発明の実施の形態に係る照明装置はシーリングライトである。しかしながら、本発明に係る「照明装置」は、カバーを備える照明装置であれば、シーリングライトに特に限定されない。本発明に係る照明装置は、たとえばペンダントライトであってもよい。また、本発明に係る「照明装置」の光の照射方向も特に限定されない。本発明に係る「照明装置」は、たとえば側壁に取り付けられて、水平方向に光を照射してもよい。
【００１７】
本明細書において光源が「均等」に配置される場合とは、ある光源と、その光源の周りに配置された光源とが等間隔である場合を含むが、これに限定されない。この実施の形態では、カバーは回転対称の形状を有する。カバーの回転軸を含んで放射状に延在する複数の仮想的な分割平面によって、カバーは互いに合同な領域に分割される。分割平面と基板とは、仮想的な分割線において交わる。この分割線によって基板が仮想的に分割される。分割された各基板において、ある光源とそれら分割線について線対称となる位置に別の光源が配置されるときも、これらの光源が「均等」に配置されていると言う。
【００１８】
また、本明細書では、カバーの表面を複数の単位領域に分割した場合に、上記領域間で基準値以上の色の偏りが含まれるとき（たとえば色度図上での距離が所定の値以上のとき）、カバーにおける光の色分布が「不均一」であると定義する。同様に、上記領域間で基準値以上の輝度の偏りが含まれるとき、カバーにおける光の輝度分布が「不均一」であると定義する。一方、上記領域間で色および輝度の偏りがそれぞれの基準値未満のとき、カバーにおける光の色分布および輝度分布が「均一」であると定義する。カバーにおける光の色分布および輝度分布のうちの少なくとも一方が「不均一」の場合、カバーに模様が現れる。カバーの模様が周期性を有する場合であっても、「不均一」に含まれる。
【００１９】
［実施の形態１］
図１は、本発明の実施の形態１に係るシーリングライトの外観を模式的に示す外観斜視図および平面図である。図１（Ａ）はシーリングライト１００の外観斜視図である。図１（Ｂ）はシーリングライト１００の平面図である。図１（Ａ）を参照して、シーリングライト１００は、たとえば室内の天井面に取り付けられる本体１と、リモートコントローラ１ａとを備える。本体１は、フレーム４と、カバー３と、光源基板２と、回路基板５（図２参照）とを備える。
【００２０】
本実施の形態において、フレーム４は長方形の板金である。このため、フレーム４は、長方形の中心点を通る回転軸ｒについて回転対称の形状を有する。フレーム４の一辺に沿ってＸ方向を定め、その辺に垂直な辺に沿ってＹ方向を定める。フレーム４には、複数の光源基板２が敷き詰められる。光源基板全体２ａの表面には、複数のＬＥＤ（Light  Emitting  Diode）（光源）が後述する複数のＬＥＤ群として配置される。交点Ｐは、回転軸ｒと光源基板全体２ａとの交点である。光源基板２には、光の損失を低減するために高反射材（たとえば白色のレジスト）が塗布されている。なお、光源基板全体２ａが本発明に係る「基板」に対応する。
【００２１】
回路基板５は、フレーム４の内側に設けられ、たとえばフレーム４の中心付近に光源基板２とフレーム４との間に配置される。光源基板２におけるＬＥＤの配置および回路基板５による光源基板２の制御方法については、後に詳細に説明する。
【００２２】
カバー３は、フレーム４の周縁部に嵌合して保持されて、本体１の下面全域を覆う。カバー３の材料には、たとえば光拡散性を有する樹脂が用いられる。カバー３が光を拡散させることにより、使用者がシーリングライト１００を直視した場合に、ＬＥＤからの光が使用者の目に直接差し込むことが防がれる。これによりグレアが低減されるため、使用者の目の負担を抑えることができる。
【００２３】
図１（Ｂ）を参照して、カバー３は、回転軸ｒについて回転対称の形状を有する。本実施の形態において、カバー３の形状は、フレーム４よりも若干大きいものの略同寸法の長方形である。カバー３は、回転軸ｒを含んで放射状に延在する２つの仮想的な分割平面Ｐ１，Ｐ２によって、互いに合同な４つの領域に分割される。
【００２４】
図２は、図１に示したシーリングライト１００の回路構成の概略を示す機能ブロック図である。図２を参照して、回路基板５は、電源コネクタ１６と、電源回路１０と、電圧変換回路１４と、ＣＰＵ１１と、メモリ１２と、ＰＷＭ（Pulse  Width  Modulation）制御回路１３と、受信部１５とを含む。光源基板全体２ａに配置されるＬＥＤ群６は、その位置または発光色に応じて３種類のＬＥＤ群６ａ〜６ｃに分類される。
【００２５】
電源コネクタ１６は、たとえば交点Ｐ付近（図１参照）に設けられる。電源回路１０は、電源コネクタ１６を介して、図示しない外部電源（たとえばＡＣ１００Ｖの商用電源）から交流電力を受ける。電源回路１０は、交流電力を直流電力に変換して、その直流電力を光源基板２および電圧変換回路１４に供給する。電圧変換回路１４は、電源回路１０からの直流電圧をＣＰＵ１１の動作電圧に変換する。電圧変換回路１４は、たとえばレギュレータである。なお、図２では、電源回路１０は電圧変換回路１４および光源基板２にのみ接続されるように図示される。しかし、電源回路１０の接続先はこれに限定されず、他の構成要素に対しても電源回路１０から必要な電力が供給される。
【００２６】
本体１は調光機能および調色機能を有し、室内の色および明るさを切り替えるための複数の照明モードを有する。使用者（図示せず）は、リモートコントローラ１ａを操作して、所望の照明モードを選択する。リモートコントローラ１ａは、使用者による操作に応じて、使用者の選択した照明モードを示す信号を回路基板５に出力する。受信部１５は、リモートコントローラ１ａからの信号を受ける。なお、リモートコントローラ１ａは本発明に係る「操作部」の一例である。本発明に係る「操作部」は、使用者の操作を受け付るものであれば特に限定されず、たとえば有線のスイッチであってもよい。
【００２７】
ＣＰＵ１１は、受信部１５からの信号に基づいて、シーリングライト１００全体を制御する。メモリ１２には、シーリングライト１００を制御するための各種プログラムおよび初期値などが格納される。メモリ１２は、ＣＰＵ１１のワーキングメモリとしても用いられる。ＰＷＭ制御回路１３は、ＣＰＵ１１からの指示に従って、ＬＥＤ群６を駆動するためのＰＷＭ信号Ｍ１〜Ｍ３を生成する。なお、回路基板５は、本発明に係る「制御回路」の一例である。本発明に係る「制御回路」は、たとえばマイクロコンピュータによって構成されてもよい。
【００２８】
各光源基板２には、ＬＥＤ群６ａ〜６ｃの一部が設けられるとともに、それらのＬＥＤを駆動するためのＮチャネルのＦＥＴ（Field  Effect  Transistor）２１〜２３が設けられる。なお、煩雑になるため、図３ではＬＥＤ群６ａ〜６ｃに属するＬＥＤを２個ずつ図示しているが、その個数は複数個であれば特に限定されない。ＦＥＴ２１〜２３はそれぞれ、ＰＷＭ制御回路１３からのＰＷＭ信号Ｍ１〜Ｍ３によって駆動される。
【００２９】
図３は、図２に示した光源基板２の回路構成の概略を説明するための回路図である。図３を参照して、ＬＥＤ群６ａ〜６ｃに属するＬＥＤは、アノードが電源回路１０側を向き、カソードがＦＥＴ２１〜２３のドレイン側を向くように直列に接続される。ＦＥＴ２１〜２３のソースは、いずれも接地電位ＧＮＤに電気的に接続される。ＦＥＴ２１〜２３のゲートは、ＰＷＭ制御回路１３に電気的に接続される。ＦＥＴ２１〜２３は、ＰＷＭ信号Ｍ１〜Ｍ３にそれぞれ応答して、導通状態と非導通状態とが切り替わる。これにより、各光源基板２上のＬＥＤ群６ａ〜６ｃへの電流の供給が制御される。なお、ＦＥＴ２１〜２３は、ＰＷＭ制御回路１３の内部に設けられてもよい。
【００３０】
図４は、図１に示したフレーム４内における光源基板２の配置を説明するための平面図である。図５は、図４に示した光源基板２上のＬＥＤの配置を説明するための平面図である。図４および図５を参照して、光源基板２の形状は長方形である。フレーム４内には、合計１６個の光源基板２が配置される。光源基板２はすべて方向が揃えられて、Ｘ方向およびＹ方向に４個ずつ均等に配置される。分割平面Ｐ１，Ｐ２（図１参照）と光源基板全体２ａとは、仮想的な分割線Ｌ１，Ｌ２においてそれぞれ交わる。このように、分割線Ｌ１，Ｌ２は、分割平面Ｐ１，Ｐ２とカバー３とが交わる曲線を平面透視したときの直線にそれぞれ対応する。分割されたカバー３の各領域に対応して、分割線Ｌ１，Ｌ２に沿って光源基板全体２ａを互いに合同な４つの領域に分割した場合に、分割された各領域に配置されたＬＥＤの数は等しい。したがって、各領域に含まれるＬＥＤの光束（発光量）は互いに等しい。
【００３１】
なお、本実施の形態では、上記合同な各領域に含まれる光源基板２（たとえば図４の交点Ｐの左上の４個の光源基板２）が本発明に係る「小基板」に対応する。１６個の光源基板２は合同な形状を有する。合同な形状が一致するように光源基板２を重ね合わせた場合に、各領域の間では、ＬＥＤ群６ａ〜６ｃに属するＬＥＤの配置が互いに等しい。
【００３２】
光源基板２のＸ方向、Ｙ方向の辺の長さはそれぞれＬｘ，Ｌｙである。光源基板２をＹ方向に２等分する直線を中心軸ｃとする。また、光源基板２の四隅のうちの１つ（図５における光源基板２の左下の隅）を原点Ｏとする。各光源基板２には、ＬＥＤ群６ａに属する１０個のＬＥＤと、ＬＥＤ群６ｂに属する２個のＬＥＤと、ＬＥＤ群６ｃに属する１２個のＬＥＤとが配置される。
【００３３】
ＬＥＤ群６ａ，６ｂに属するＬＥＤは同じ色、たとえば黒体輻射に近い白色に発光する。「黒体輻射に近い白色」とは、ＪＩＳ−Ｃ８１５５「一般照明用ＬＥＤモジュール−性能要求事項」に基づき、相関色温度が２，５００Ｋ〜１０，０００Ｋであって（３．２「照明用白色ＬＥＤ」の欄に記載）、かつ黒体軌跡からの偏差（ｄｕｖ）が±０．０１の範囲内である（７．３．３「光源色及び演色性」の欄に記載）ことを言う。白熱電球または蛍光灯などで従来からよく用いられる照明色（昼光色、昼白色、電球色など）は、すべて「黒体輻射に近い白色」である。そのため、この色は使用者にとって馴染みあって違和感が小さい。また、太陽光も「黒体輻射に近い白色」である。したがって、屋内（シーリングライト１００の下）と屋外（太陽光下）とを使用者が行き来する場合に、物体の色の見え方の変化が小さくなる。
【００３４】
ＬＥＤ群６ａ，６ｂは、その双方が発光した場合にカバー３に均一な輝度分布が得られるように、光源基板全体２ａに均等かつ密に配置されている。より具体的には、たとえば、ＬＥＤ群６ａ，６ｂの隣接するＬＥＤ間の間隔は、Ｘ方向について（Ｌｘ／４）であって、Ｙ方向について（Ｌｙ／３）である。光源基板２の端面と、その端面に隣接するＬＥＤとの間の距離は、Ｘ方向について（Ｌｘ／８）であって、Ｙ方向について（Ｌｙ／６）である。
【００３５】
ＬＥＤ群６ａに属するＬＥＤの原点Ｏを基準とした座標は、（Ｌｘ／８，Ｌｙ／６），（３Ｌｘ／８，Ｌｙ／６），（７Ｌｘ／８，Ｌｙ／６），（Ｌｘ／８，Ｌｙ／２），（３Ｌｘ／８，Ｌｙ／２），（５Ｌｘ／８，Ｌｙ／２），（７Ｌｘ／８，Ｌｙ／２），（Ｌｘ／８，５Ｌｙ／６），（５Ｌｘ／８，５Ｌｙ／６），および（７Ｌｘ／８，５Ｌｙ／６）である。一方、ＬＥＤ群６ｂに属するＬＥＤの座標は、（５Ｌｘ／８，Ｌｙ／６）および（３Ｌｘ／８，５Ｌｙ／６）である。これらの具体的な値は、ＬＥＤ群６ａ，６ｂに用いられるＬＥＤの配光分布特性などに基づいて適宜定められる。なお、ＬＥＤ群６ａ，６ｂに属するＬＥＤからの光を均一に拡散させるための拡散レンズまたは拡散シートを設けてもよい。
【００３６】
ＬＥＤ群６ｃに属するＬＥＤの発光色は、ＬＥＤ群６ａ，６ｂに属するＬＥＤの発光色とは異なり、たとえば黄色である。ＬＥＤ群６ｃでは、ＬＥＤ群６ｂに属する各ＬＥＤについて、その六方を取り囲むように６個のＬＥＤが配置される。各光源基板２において、ＬＥＤ群６ｂに属するＬＥＤの数は２個であるため、ＬＥＤ群６ｃに属するＬＥＤの数は１２個である。各光源基板２において、ＬＥＤ群６ａに属するＬＥＤの数（１０個）とＬＥＤ群６ｂに属するＬＥＤの数（２個）との和（１２個）は、ＬＥＤ群６ｃに属するＬＥＤの数（１２個）と等しい。
【００３７】
シーリングライト１００は、照明モード１（第１の照明モード）、照明モード２（第２の照明モード）、照明モード３（第３の照明モード）、および全灯モードの４つの照明モードを有する。以下、各照明モードにおけるカバー３の様子について詳細に説明する。
【００３８】
図６は、図４に示した光源基板２の配置において、照明モード１における点灯中のＬＥＤの位置およびカバー３に生じる模様を模式的に示す平面図である。図６を参照して、図６（Ａ）は点灯中のＬＥＤの位置を表し、図６（Ｂ）はカバー３の様子を表す。図６（Ａ）を参照して、照明モード１ではＬＥＤ群６ｃに属するＬＥＤのみが点灯する。ＬＥＤ群６ｃに属する環状に配置された６個のＬＥＤ同士の間隔は、ＬＥＤ群６ａ，６ｂに属するＬＥＤ同士の間隔よりも広い。つまり、ＬＥＤ群６ｃに属するＬＥＤは、光源基板全体２ａに偏在して配置されている。これにより、カバー３における輝度分布が不均一になる。そのため、図６（Ｂ）に示すように、ドーナツ模様３ｃが比較的はっきりとカバー３に現れる。また、フレーム４内には同一の光源基板２が向きを揃えて並べられている。このため、ドーナツ模様３ｃはカバー３に周期的に現れる。これにより、カバー３に美観を生じさせることができる。さらに、消灯状態および照明モード２においては、ドーナツ模様３ｃは使用者に見えない。したがって、たとえばシーリングライト１００を初めて見る使用者に驚きを与えることができる。
【００３９】
一般に、カバーに比較的はっきりと模様が現れる場合には、床面にまでその模様が映ってしまうとも考えられる。しかしながら、シーリングライト１００においては、カバー３に現れるドーナツ模様３ｃの配置は周期的である。また、カバー３を通過した後にも光は広がる。この光は、たとえば天井面、壁面、または室内の設置物（たとえば家具など）で反射して、床面に到達するまでに混ざり合う。そのため、カバー３にドーナツ模様３ｃが現れていても、床面での照度ムラはほとんど気にならない程度に低減される。
【００４０】
また、ＬＥＤからの光はカバー３によって適度に拡散される。このため、シーリングライト１００ではグレアが低減される。さらに、分割線Ｌ１，Ｌ２（図４参照）によって光源基板全体２ａを互いに合同な４つの領域に分割した場合に、分割された各領域に含まれるＬＥＤの光束は互いに等しい。このため、床面における照度分布の偏りはこの４方向について生じない。つまり、シーリングライト１００によれば、部屋全体を均一に明るくすることができる。したがって、日常生活での使用に適した照明装置を実現することができる。
【００４１】
図７は、図４に示した光源基板２の配置において、照明モード２における点灯中のＬＥＤの位置およびカバー３の様子を模式的に示す平面図である。図７を参照して、図７は図６と対比される。図７（Ａ）を参照して、照明モード２ではＬＥＤ群６ａ，６ｂに属するＬＥＤが点灯する。
【００４２】
ＬＥＤは指向性を有する。しかし、ＬＥＤ群６ａ，６ｂでは、同じ色に発光するＬＥＤが光源基板全体２ａに均等かつ密に配置されている。さらに、ＬＥＤ群６ａ，６ｂから照射される光は、カバー３によって拡散される。そのため、図７（Ｂ）に示すように、カバー３の領域３２ａでは均一な色分布および輝度分布が得られる。したがって、照射面においても偏りの無い均一な照度分布が得られる。よって、日常生活での使用に適した照明装置を実現することができる。
【００４３】
さらに、上述のように、ＬＥＤ群６ａ，６ｂに属するＬＥＤの数の和と、ＬＥＤ群６ｃに属するＬＥＤの数とは等しい。そのため、ＬＥＤ群６ａ，６ｂに属する各ＬＥＤの光束とＬＥＤ群６ｃに属する各ＬＥＤの光束とがほぼ等しければ、照明モード１，２における室内の明るさを同等にすることができる。
【００４４】
図８は、図４に示した光源基板２の配置において、照明モード３における点灯中のＬＥＤの位置およびカバー３に生じる模様を模式的に示す平面図である。図８を参照して、図８は図６および図７と対比される。図８（Ａ）を参照して、照明モード３ではＬＥＤ群６ｂ，６ｃに属するＬＥＤが点灯する。
【００４５】
図８（Ｂ）を参照して、ＬＥＤ群６ｃに対応する各ドーナツ模様３ｃは黄色になる。その各々の中心３ｂでは、ＬＥＤ群６ｂに対応して白色となる。これらの色を色度図上で表した場合に、２点間の距離は所定の値以上になる。そのため、カバー３の色度分布が不均一になる。これにより、さながら花のような模様が得られる。したがって、照明モード３によれば、照明モード１とは異なる美観を生じさせることができる。一方で、照明モード１と同様に、床面での照度ムラはほとんど気にならない程度に低減される。また、部屋全体を均一に明るくすることができる。
【００４６】
図９は、図４に示した光源基板２の配置において、全灯モードにおける点灯中のＬＥＤの位置およびカバー３に生じる模様を模式的に示す平面図である。図９を参照して、図９は図６〜図８と対比される。図９（Ａ）を参照して、全灯モードではＬＥＤ群６ａ〜６ｃに属するＬＥＤのすべてが点灯する。
【００４７】
図９（Ｂ）を参照して、全灯モードでも花模様による美観を生じさせることができる。また、照射面の色は、ＬＥＤ群６ａ，６ｂに属するＬＥＤからの白色光と、ＬＥＤ群６ｃに属するＬＥＤからの黄色光とが混ざり合った色になる。これにより、白熱電球または蛍光灯とは異なる特徴的な照明色を得ることができる。
【００４８】
また、全灯モードでは、ＬＥＤ群６ａ〜６ｃの発光色を変更することにより、様々な照明色を得ることができる。たとえばＬＥＤ群６ａ，６ｂに属するＬＥＤが電球色に発光し、ＬＥＤ群６ｃに属するＬＥＤが赤色に発光する場合には、室内を夕焼けのようにすることができる。また、たとえばＬＥＤ群６ａ，６ｂに属するＬＥＤが昼光色に発光し、ＬＥＤ群６ｃに属するＬＥＤが青色に発光する場合には、室内を病院内のように少し青白くすることができる。
【００４９】
このように、実施の形態１によれば、白熱電球または蛍光灯のように黒体輻射に近い白色のＬＥＤと、雰囲気作りのための有彩色（白色以外の色）のＬＥＤとが用いられる。白色と有彩色とは色度図上での距離が所定の値以上である。そのため、照明モード１，３、および全灯モードでは、カバー３の色度分布は不均一となる。その結果として、カバー３に現れる模様によって、美観を生じさせることができる。また、照明モード２では、黒体輻射に近い白色であって偏りの無い均一な照度分布が得られる。よって、日常生活での使用に適した照明装置を実現することができる。さらに、全灯モードでは、白色と有彩色とが混ざり合って、日常生活で通常使用される白熱電球または蛍光灯とは異なる雰囲気を作り出すことができる。また、各照明モードでは、グレアおよび照度ムラの発生を防止するとともに、部屋全体を均一に明るくすることができる。したがって、日常生活での使用に適した照明装置を実現することができる。
【００５０】
なお、各照明モードにおいて、ＰＷＭ信号Ｍ１〜Ｍ３のデューティ比を変更することによって、ＬＥＤ群６ａ〜６ｃに属するＬＥＤは互いに独立して調光が可能である。調色機能と調光機能とを組み合わせることで、カバー３での模様の現れ方にさらに変化を持たせて、異なる美観を生じさせることができる。
【００５１】
実施の形態１では、ＬＥＤ群６ｃが本発明に係る「第１の光源グループ」に対応する。ＬＥＤ群６ａ，６ｂが本発明に係る「第２の光源グループ」に対応する。ＬＥＤ群６ｂ，６ｃが本発明に係る「第３の光源グループ」に対応する。
【００５２】
［実施の形態２］
実施の形態１では、ＬＥＤ群６ａ，６ｂに属するＬＥＤの発光色は同じであって、ＬＥＤ群６の発光色は合計２色である。しかし、実施の形態２のように、ＬＥＤ群６の発光色が３色以上であってもよい。
【００５３】
図１０は、本発明の実施の形態２に係るシーリングライトにおける、図２とは異なる光源基板を示す平面図である。図１０を参照して、実施の形態２に係るシーリングライトでは、実施の形態１に係るシーリングライト１００における光源基板２が光源基板２０４にすべて置き換えられる。光源基板２０４は、ＬＥＤ群６ａ〜６ｃに代えて、ＬＥＤ群７ｒ，７ｇ，７ｂを備える。ＬＥＤ群７ｒ，７ｇ，７ｂに属するＬＥＤは、赤色、緑色、および青色にそれぞれ発光する。ＬＥＤ群７ｒ，７ｇ，７ｂに属するＬＥＤの配置は、ＬＥＤ群６ａ〜６ｃに属するＬＥＤの配置にそれぞれ対応する。実施の形態２に係るシーリングライトの他の構成は実施の形態１に係るシーリングライト１００（図１参照）と同等であるため、詳細な説明を繰り返さない。
【００５４】
全灯モードにおいて、カバー３では、赤色、緑色、および青色だけでなく、これらの色が混ざり合う。これらの色（たとえば赤色と緑色）を色度図上で表した場合に、２点間の距離が所定の値以上になる。そのため、カバー３の色分布が不均一になる。これにより、カバー３に様々な色の模様が生じる。したがって、実施の形態２に係るシーリングライトによれば、実施の形態１に係るシーリングライト１００とは異なる美観を生じさせることができる。その一方で、カバー３による光の拡散、カバー３を通過した後の光の広がり、および壁面などでの光の反射によって、ＬＥＤ群７ｒ，７ｇ，７ｇに属するＬＥＤからの光が混ざり合う。そのため、床面の色は白色であって、かつ床面では均一な照度分布が得られる。このように、複数のＬＥＤ群にそれ自身が白色に発光するＬＥＤが含まれなくても、シーリングライトが白色光で照明することは可能である。また、実施の形態１に係るシーリングライト１００と同様に、グレアが低減される。したがって、日常生活での使用に適する照明装置を実現することができる。
【００５５】
なお、上記の発光色の組合せは一例であって、ＬＥＤ群の発光色は、赤色と緑色と青色との組合せに限定されるものではない。また、ＬＥＤチップからの光を異なる波長に変換する蛍光体が設けられたＬＥＤを用いてもよい。たとえば、青色に発光するＬＥＤチップと、青色を黄色などの他の色に変換する蛍光体とが組み合わせられたＬＥＤを用いてもよい。
【００５６】
ＬＥＤは、指向性を有するとともに、色も豊富に入手可能である。たとえば、照明装置用の白色ＬＥＤとしては、現在では３，０００Ｋ〜８，０００Ｋ程度の色温度のＬＥＤが入手可能である。また、有彩色のＬＥＤでは、光の３原色（赤色、緑色、および青色）を含め、様々な色が揃えられる。したがって、ＬＥＤを光源に用いることが好ましい。しかし、本発明に係る「光源」は、指向性を有する光源であればＬＥＤに限られない。
【００５７】
実施の形態１，２においては、ＬＥＤ群が３種類の場合について説明した。しかし、ＬＥＤ群の数はこれに限らず、２種類または４種類以上であってもよい。また、これらＬＥＤ群に属するＬＥＤの発光色はすべて同じであってもよい。この場合でも、カバー３における輝度分布が不均一になることにより、カバー３に模様が現れる。ＬＥＤの種類が１種類で済むため、シーリングライト１００の構成が単純化される。これにより、開発コストおよび製造コストの低減が可能である。
【００５８】
実施の形態２では、ＬＥＤ群７ｇが本発明に係る「第１の光源グループ」に対応する。ＬＥＤ群７ｒ，７ｂ，７ｇが本発明に係る「第２の光源グループ」に対応する。ＬＥＤ群７ｂが本発明に係る「第３の光源グループ」に対応する。
【００５９】
［実施の形態３］
実施の形態１，２では、同一の光源基板が用いられる。一方、実施の形態３のように、複数種類の光源基板を用いることができる。
【００６０】
図１１は、本発明の実施の形態３に係るシーリングライトにおいて、光源基板上のＬＥＤの配置を説明するための平面図である。図１２は、図１１に示した光源基板のフレーム４内における配置を説明するための平面図である。図１１および図１２を参照して、図１１は図５と対比され、図１２は図４と対比される。実施の形態３に係るシーリングライトのフレーム４には、４種類の光源基板２，２０１〜２０３が設けられる。
【００６１】
光源基板２０２では、光源基板２（図５参照）と比べて、（Ｌｘ／８，Ｌｙ／６），（５Ｌｘ／８，Ｌｙ／６），（３Ｌｘ／８，５Ｌｙ／６），および（７Ｌｘ／８，５Ｌｙ／６）の座標において、ＬＥＤ群６ａに属するＬＥＤとＬＥＤ群６ｂに属するＬＥＤの位置とが入れ替わっている。また、ＬＥＤ群６ｃでは、ＬＥＤ群６ｂに属する各ＬＥＤについて、その六方を取り囲むように６個のＬＥＤ（合計１２個のＬＥＤ）が配置されている。
【００６２】
光源基板２０１におけるＬＥＤの配置は、光源基板２の中心軸ｃ（図５参照）について、光源基板２におけるＬＥＤの配置と軸対称である。また、光源基板２０３におけるＬＥＤ６の配置は、光源基板２０２の中心軸ｃについて、光源基板２０２におけるＬＥＤの配置と軸対称である。実施の形態３に係るシーリングライトの他の構成については、実施の形態１に係るシーリングライト１００の構成（図１参照）と同等であるため、詳細な説明を繰り返さない。
【００６３】
回転軸ｒについて回転対称となる位置に配置される光源基板の種類は同じである。たとえば、図１２において、交点Ｐの左上には２個の光源基板２と、光源基板２０２と、光源基板２０３とが配置されるとともに、これら光源基板と回転軸ｒについて回転対称となる交点Ｐの右下にも、２個の光源基板２と、光源基板２０２と、光源基板２０３とが配置される。これらの光源基板２，２０２，２０３の間では、ＬＥＤの配置が回転軸ｒについて回転対称である。
【００６４】
実施の形態３によれば、実施の形態１との比較において、カバー３に現れる模様に変化を持たせることができる。そのため、実施の形態１と比べて、美観を増すことが可能になる。また、各光源基板２０１〜２０３に含まれるＬＥＤの数は、実施の形態１における光源基板２に含まれるＬＥＤの数と同じである。そのため、実施の形態１と同様に、日常生活での使用に適した照明装置を実現することができる。
【００６５】
実施の形態３では、実施の形態１と同様に、ＬＥＤ群６ｃが本発明に係る「第１の光源グループ」に対応する。ＬＥＤ群６ａ，６ｂが本発明に係る「第２の光源グループ」に対応する。ＬＥＤ群６ｂ，６ｃが本発明に係る「第３の光源グループ」に対応する。
【００６６】
［実施の形態４］
図１３は、本発明の実施の形態４に係るシーリングライトにおいて、光源基板上のＬＥＤの配置を示す平面図である。図１４は、図１３に示した光源基板のフレーム４内における配置を説明するための平面図である。図１３および図１４を参照して、図１３は図５と対比され、図１４は図４と対比される。光源基板２０５の形状は、実施の形態１に係る光源基板２（図５参照）よりも縦横比が大きい長方形である。
【００６７】
光源基板２０５には、ＬＥＤ群８ａに属する１５個のＬＥＤと、ＬＥＤ群８ｂに属する１２個のＬＥＤと、ＬＥＤ群８ｃに属する２個のＬＥＤとが配置される。ＬＥＤ群８ａ，８ｂに属するＬＥＤの発光色は同じであって、たとえば黒体輻射に近い白色である。ＬＥＤ群８ａ，８ｂは、その双方が発光した場合にカバー３に均一な色分布および輝度分布が得られるように、光源基板２０５にほぼ均等かつ密に配置される。ＬＥＤ群８ｃに属するＬＥＤの発光色は、ＬＥＤ群８ａ，８ｂに属するＬＥＤの発光色とは異なり、たとえば黄色である。ＬＥＤ群８ｃに属するＬＥＤは、ＬＥＤ群８ａ，８ｂに属するＬＥＤ間の間隔よりも広い間隔で配置される。
【００６８】
より具体的には、ＬＥＤ群８ａ，８ｂの隣接するＬＥＤ間の間隔は、Ｘ方向についていずれもＤｘであって、Ｙ方向についていずれもＤｙである。ＬＥＤ群８ｂに属するＬＥＤは、６個ずつ環状に配置される。その環の各々の中心に、ＬＥＤ群８ａに属するＬＥＤが２個ずつ配置される。その２個のＬＥＤの中間（そのＬＥＤからＤｘ／２となる位置）に、ＬＥＤ群８ｃに属するＬＥＤのうちの１個が配置される。
【００６９】
光源基板２０５の辺の長さＬｘ，Ｌｙの和は、フレーム４の一辺の長さとほぼ等しい。そのため、４個の光源基板２０５を環状に配置することによって、フレーム４の中央部１７を除き、フレーム４のほぼ全面を覆うことができる。
【００７０】
また、光源基板全体２０５ａの形状は、回転軸ｒについて回転対称になる。分割線Ｌ１，Ｌ２によって光源基板全体２０５ａを互いに合同な４つの領域に分割した場合に、分割された各領域に含まれるＬＥＤの数は等しい。このため、床面における照度分布の偏りはこの４方向について生じない。つまり、部屋全体を均一に明るくすることができる。したがって、日常生活での使用に適した照明装置を実現することができる。
【００７１】
なお、本実施の形態では、光源基板全体２０５ａが本発明に係る「基板」に対応する。また、上記の合同な各領域に含まれる光源基板２０５が本発明に係る「小基板」に対応する。４個の光源基板２０５は合同な形状を有する。合同な形状が一致するように光源基板２０５を重ね合わせた場合に、各領域に含まれる光源基板２０５の間では、ＬＥＤ群８ａ〜８ｃに属するＬＥＤの配置が互いに等しい。
【００７２】
さらに、スペースを有効に活用するために、回路基板５（図２参照）を中央部１７に配置することができる。また、天井面に設けられる取付器具（ローゼット）の取付アダプタ（図示せず）を中央部１７に配置してもよい。これにより、シーリングライトの小型化または薄型化が可能になる。実施の形態４に係るシーリングライトの他の構成は実施の形態１に係るシーリングライト１００（図１参照）と同等であるため、詳細な説明を繰り返さない。
【００７３】
図１５は、図１４に示した光源基板２０５の配置において、照明モード１における点灯中のＬＥＤの位置およびカバー３に生じる模様を模式的に示す平面図である。図１５（Ａ）を参照して、照明モード１ではＬＥＤ群８ｂ，８ｃに属するＬＥＤが点灯する。ＬＥＤ群８ｂに属するＬＥＤは白色に発光し、ＬＥＤ群８ｃに属するＬＥＤは黄色に発光する。そのため、カバー３における色分布が不均一になる。したがって、図１５（Ｂ）に示すように、中心３１ｃが黄色でその周囲３１ｂが白色の花模様がカバー３に現れる。なお、中央部１７に対応するカバー３の位置には、センターカバー１８が設けられる。
【００７４】
図１６は、図１４に示した光源基板２０５の配置において、照明モード２における点灯中のＬＥＤの位置およびカバー３に生じる模様を模式的に示す平面図である。図１６（Ａ）を参照して、照明モード２ではＬＥＤ群８ａ，８ｂに属するＬＥＤが点灯する。このとき、図１６（Ｂ）に示すように、カバー３の領域３１ａｂでの色分布および輝度分布は均一になる。そのため、照射面においても偏りのない均一な照度分布が得られる。
【００７５】
実施の形態４によれば、実施の形態１と比べて、光源基板の数を少なくすることができる。そのため、シーリングライトの組立に要する工数を減らすことができ、シーリングライトの組立をより容易にすることができる。その結果、組立コストを低減することができる。
【００７６】
実施の形態４では、ＬＥＤ群８ｂ，８ｃが本発明に係る「第１の光源グループ」に対応する。ＬＥＤ群８a，８ｂが本発明に係る「第２の光源グループ」に対応する。なお、ＬＥＤ群８ｂ，８ｃの各々を独立して点灯させてもよい。この場合には、ＬＥＤ群８ｂが本発明に係る「第１の光源グループ」に対応する。ＬＥＤ群８a，８ｂが本発明に係る「第２の光源グループ」に対応する。ＬＥＤ群８ｃが本発明に係る「第３の光源グループ」に対応する。
【００７７】
［実施の形態５］
実施の形態１〜３では、本体１の形状が長方形である場合について説明した。しかし、本発明に係る「照明装置」の形状は長方形に限定されない。実施の形態５によれば、本体１の形状は円形である。
【００７８】
図１７は、本発明の実施の形態５に係るシーリングライトの外観を模式的に示す外観斜視図および平面図である。図１７（Ａ）はシーリングライト２００の外観斜視図である。図１７（Ｂ）はシーリングライト２００の平面図である。図１７（Ａ）を参照して、フレーム４は円形かつ板状の板金である。フレーム４には、複数の光源基板２０６が敷き詰められる。カバー３の形状は、フレーム４よりもわずかに大きい略同寸法の円形である。このため、カバー３は、回転軸ｒについて回転対称の形状を有する。フレーム４の中央部１７に対応して、カバー３の中心に円形のセンターカバー１８が設けられる。交点Ｐは、回転軸ｒと中央部１７との交点である。
【００７９】
図１７（Ｂ）を参照して、カバー３は、回転軸ｒを含んで放射状に延在する４つの仮想的な分割平面Ｐ１〜Ｐ４によって、互いに合同な８つの領域に分割される。シーリングライト２００の他の構成は、実施の形態１に係るシーリングライト１００（図１参照）と同等であるため、詳細な説明を繰り返さない。
【００８０】
図１８は、図１７に示したシーリングライト２００における光源基板２０６を示す平面図である。図１９は、図１８に示した光源基板２０６のフレーム４内における配置を説明するための平面図である。図１８および図１９を参照して、図１９は図４と対比される。光源基板２０６の形状は等脚台形であって、斜辺の長さはＬである。また、斜辺同士がなす角度は４５度である。
【００８１】
光源基板２０６には、均等に配置されたＬＥＤ群９ａに属するＬＥＤと、各光源基板２０６の斜辺に沿って配置されたＬＥＤ群９ｂに属するＬＥＤとが配置される。ＬＥＤ群９ａに属するＬＥＤは、たとえば黒体輻射に近い白色に発光し、ＬＥＤ群９ｂに属するＬＥＤは、たとえば黄色に発光する。各光源基板２０６上のＬＥＤ群９ａに属するＬＥＤの数（９個）とＬＥＤ群９ｂに属するＬＥＤの数（９個）とは等しい。
【００８２】
フレーム４には、８個の光源基板２０６が、斜辺同士が互いに隣り合うように配置される。これにより、光源基板全体２０６ａの形状は正八角形となる。分割平面Ｐ１〜Ｐ４と光源基板全体２ａとは、仮想的な分割線Ｌ１〜Ｌ４においてそれぞれ交わる。このように、分割線Ｌ１〜Ｌ４は、分割平面Ｐ１〜Ｐ４とカバー３とが交わる曲線を平面透視したときの直線にそれぞれ対応する。分割されたカバー３の各領域に対応して、分割線Ｌ１〜Ｌ４に沿って光源基板全体２ａが分割される。分割された各光源基板に配置されたＬＥＤの数は等しい。このため、床面における照度分布の偏りはこの８方向について生じない。つまり、シーリングライト２００によれば、部屋全体を均一に明るくすることができる。したがって、日常生活での使用に適した照明装置を実現することができる。なお、分割平面Ｐ１〜Ｐ４と分割線Ｌ１〜Ｌ４との対応関係は特に限定されない。たとえば、分割平面Ｐ１が分割線Ｌ２に対応してもよい。
【００８３】
なお、本実施の形態では、光源基板全体２０６ａが本発明に係る「基板」に対応し、各光源基板２０６が本発明に係る「小基板」に対応する。各光源基板２０６は合同な形状を有する。合同な形状が一致するように８個の光源基板２０６を重ね合わせた場合に、光源基板２０６の各々の間では、ＬＥＤ群９ａ，９ｂに属するＬＥＤの配置が互いに等しい。
【００８４】
図２０は、図１９に示した光源基板２０６の配置において、照明モード１における点灯中のＬＥＤの位置およびカバー３に生じる模様を模式的に示す平面図である。図２０（Ａ）を参照して、照明モード１ではＬＥＤ群９ｂのみが点灯し、カバー３における輝度分布が不均一になる。
【００８５】
図２０（Ｂ）を参照して、カバー３に現れる模様３２ｂはカバー３の円周方向に周期的になって、さながら花のような模様になる。これにより、美観を生じさせることができる。また、シーリングライト２００からの光は、カバー３の円周方向の全周に向けてほぼ均等に放射される。そのため、花模様の発生によって照射面に照度ムラが生じる影響を低減することができる。
【００８６】
図２１は、図１９に示した光源基板２０６の配置において、照明モード２における点灯中のＬＥＤの位置およびカバー３の様子を模式的に示す平面図である。図２１（Ａ）を参照して、照明モード２では、ＬＥＤ群９ａに属するＬＥＤのみが点灯する。図２１（Ｂ）を参照して、実施の形態１に係るシーリングライト１００における照明モード１（図７参照）と同様に、カバー３の領域３２ａでの色分布および輝度分布が均一になるとともに、照射面での照度分布も均一になる。
【００８７】
図２２は、図１９に示した光源基板２０６の配置において、全灯モードにおける点灯中のＬＥＤの位置およびカバー３に生じる模様を模式的に示す平面図である。図２２（Ａ）を参照して、全灯モードではＬＥＤ群９ａ，９ｂがいずれも点灯する。ＬＥＤ群９ａからの白色光とＬＥＤ群９ｂからの黄色光とが混ざり合った色を得ることができる。また、実施の形態１と同様に、ＬＥＤ群９ａ，９ｂの発光色を変更することにより、夕焼けまたは病院内のような照明色を得ることも可能である。
【００８８】
実施の形態５では、ＬＥＤ群９ｂが本発明に係る「第１の光源グループ」に対応する。ＬＥＤ群９ａが本発明に係る「第２の光源グループ」に対応する。
【００８９】
なお、以上では、光源基板の各々が回転軸ｒについて回転対称で配置される場合について説明した。しかし、光源基板全体が複数の光源基板を含むことは必須ではなく、光源基板全体は１つの光源基板であってもよい。また、各光源基板が回転対称で配置されることは必須ではない。本発明では、ＬＥＤは、発光中のＬＥＤの位置が回転軸ｒについて回転対称となるように配置されていればよい。
【００９０】
本発明の実施の形態は次のように要約することができる。
平面形状を有する光源基板全体２ａと、各々が光源基板全体２ａ上に配置され、光源基板全体２ａに略垂直な方向に光を出射する複数のＬＥＤと、複数のＬＥＤを点灯させる回路基板５と、回転対称の形状を有し、複数のＬＥＤを覆って、複数のＬＥＤから発せられた光を拡散させるカバー３とを備え、複数のＬＥＤは、ＬＥＤ群６ｃを含み、回路基板５の制御により、ＬＥＤ群６ｃに属するＬＥＤから発せられた光のカバー３における色分布および輝度分布のうちの少なくとも一方が不均一であるとともに、カバー３の回転軸ｒを含んで放射状に延在する２つの仮想的な分割平面Ｐ１，Ｐ２によってカバー３を互いに合同な４つの領域に分割した場合に、分割された各領域に含まれるＬＥＤの発光量が互いに等しい照明モード１を有する、シーリングライト１００。
【００９１】
上記の構成によれば、カバー３の模様によって美観を生じさせることが可能である。
複数のＬＥＤは、ＬＥＤ群６ａ，６ｂをさらに含み、回路基板５の制御によって、ＬＥＤ群６ａ，６ｂに属するＬＥＤが白色光で照明するとともに、分割された各領域に含まれるＬＥＤ群６ａ，６ｂに属するＬＥＤの発光量が互いに等しい照明モード２をさらに有する、シーリングライト１００。
【００９２】
上記の構成によれば、床面における照度分布の偏りは分割された各領域において生じさせずに、白色で照明することができる。したがって、日常生活での使用に適した照明装置を実現することができる。
【００９３】
照明モード２では、ＬＥＤ群６ａ，６ｂは、複数のＬＥＤのうちの該当のＬＥＤから発せられた光のカバー３における色分布および輝度分布が均一となるように発光する、シーリングライト１００。
【００９４】
上記の構成によれば、グレアを低減するとともに、照射面での照度分布も均一にすることができる。
【００９５】
複数のＬＥＤのうちＬＥＤ群６ａ，６ｂに属するＬＥＤは、複数のＬＥＤのうちの該当のＬＥＤが光源基板全体２ａ上に均等に配置される、シーリングライト１００。
【００９６】
上記の構成によれば、カバー３における色および輝度を容易に均一にすることができる。
【００９７】
複数の照明モードのうちの所望の照明モードを選択するための使用者による操作を受け付けるリモートコントローラ１ａをさらに備え、リモートコントローラ１ａは、選択された照明モードを選択するように回路基板５に指示する信号を、回路基板５に出力する、シーリングライト１００。
【００９８】
上記の構成によれば、使用者がカバー３の模様の有無を選択することができる。
複数のＬＥＤは、ＬＥＤ群６ｂ，６ｃをさらに含み、シーリングライト１００は、回路基板５の制御により、ＬＥＤ群６ｂ，６ｃに属するＬＥＤから発せられた光のカバー３における色分布および輝度分布のうちの少なくとも一方が不均一である照明モード３をさらに有し、照明モード３と照明モード１とは、色分布および輝度分布のうちの少なくとも一方が異なる、シーリングライト１００。
【００９９】
上記の構成によれば、カバー３に、照明モード１とは異なる模様によって美観を生じさせることができる。
【０１００】
光源基板全体２ａは、複数の光源基板２を含み、複数の光源基板２は、分割された各領域に対応し、各領域の互いに合同な形状が一致するように重ね合わせた場合に、複数の光源基板２の各々の間では、ＬＥＤ群６ａ，６ｂに属するＬＥＤとＬＥＤ群６ｃに属するＬＥＤとの配置が互いに等しい、シーリングライト１００。
【０１０１】
上記の構成によれば、光源基板が一種類となるため、部材点数および組立の工数を削減することができる。
【０１０２】
光源基板全体２ａは、複数の光源基板２，２０１〜２０３を含み、複数の光源基板２，２０１〜２０３は、分割された各領域に対応し、複数の光源基板２，２０１〜２０３は、回転軸ｒに関して回転対称となる光源基板２，２０２，２０３（図１２の交点Ｐの左上の光源基板（第１の小基板））と光源基板２，２０２，２０３（図１２の交点Ｐの右下の光源基板（第２の小基板））とを含み、光源基板２，２０２，２０３（第１の小基板））と光源基板２，２０２，２０３（第２の小基板）との間では、ＬＥＤ群６ｃに属するＬＥＤとＬＥＤ群６ａ，６ｂに属するＬＥＤとが回転軸ｒに関して回転対称の関係に配置される、シーリングライト１００。
【０１０３】
上記の構成によれば、光源基板の種類が削減されるため、部材点数および組立の工数を削減することができる。
【０１０４】
複数の光源基板２０６は、回転軸ｒの周りに環状に配置される、シーリングライト２００。
【０１０５】
上記の構成によれば、カバー３に現れる模様が円周方向に周期的になる。
光源基板全体２０６ａの形状は、正多角形（正八角形）であって、複数の光源基板２０６は、正多角形（正八角形）を分割線Ｌ１〜Ｌ４で回転対称に分割する形状を有する、シーリングライト２００。
【０１０６】
上記の構成によれば、光源基板が一種類となって、部材点数および組立の工数を削減することができる。また、光の拡散および反射などの光学的特性も共通であるため、開発コストが削減できる。
【０１０７】
複数の光源の各々は、ＬＥＤである、シーリングライト１００。
上記の構成によれば、豊富な色の光源が入手可能である。
【０１０８】
ＬＥＤ群６ａ，６ｂが照明する白色光は、黒体輻射に近い白色光である、シーリングライト１００。
【０１０９】
上記の構成によれば、使用者にとって馴染みあって違和感が小さい照明装置を実現できる。また、屋内と屋外とを使用者が行き来する場合に物体の色の見え方の違いが小さくなる。
【０１１０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１１】
１００，２００  シーリングライト、１  本体、１ａ  リモートコントローラ、２，２０１〜２０６  光源基板、２ａ，２０５ａ，２０６ａ  光源基板全体、３  カバー、４  フレーム、５  回路基板、６ａ〜６ｃ，７ｒ，７ｇ，７ｂ，８ａ，８ｂ，９ａ，９ｂ  ＬＥＤ群、１０  電源回路、１１  ＣＰＵ、１２  メモリ、１３  ＰＷＭ制御回路、Ｍ１〜Ｍ３  ＰＷＭ信号、１４  電圧変換回路、１５  受信部、１７  中央部、１８  センターカバー、２１〜２３  ＦＥＴ。
【図１】
2014170712.tif 000003
【図２】
2014170712.tif 000004
【図３】
2014170712.tif 000005
【図４】
2014170712.tif 000006
【図５】
2014170712.tif 000007
【図６】
2014170712.tif 000008
【図７】
2014170712.tif 000009
【図８】
2014170712.tif 000010
【図９】
2014170712.tif 000011
【図１０】
2014170712.tif 000012
【図１１】
2014170712.tif 000013
【図１２】
2014170712.tif 000014
【図１３】
2014170712.tif 000015
【図１４】
2014170712.tif 000016
【図１５】
2014170712.tif 000017
【図１６】
2014170712.tif 000018
【図１７】
2014170712.tif 000019
【図１８】
2014170712.tif 000020
【図１９】
2014170712.tif 000021
【図２０】
2014170712.tif 000022
【図２１】
2014170712.tif 000023
【図２２】
2014170712.tif 000024